(57)【要約】  【課題】  携帯式カード処理端末機を充電するときの作業性が向上するとともに、充電時の携帯式カード処理端末機にカードを差し込むときの操作性が向上する携帯式カード処理端末機用の充電装置を提供する。  【解決手段】  携帯式カード処理端末機用の充電装置１０１は、携帯式カード処理端末機１００の充電を行う充電端子１０９を備えた装置本体１０２と、携帯式カード処理端末機１００が装着される装着部１０８と、携帯式カード処理端末機１００を保持する保持壁部１１０、１１１と、携帯式カード処理端末機１００のカードスロット部１０６に対応する位置に設けられるガイド面１１２を備える。ガイド面１１２は、カードスロット部１０６にカード１０５を差し込むときの差込み方向に沿って延びている。カードスロット部１０６にカード１０５を差し込むときには、ガイド面１１２に沿ってカード１０５を差し込む。【選択図】  図１
2008061367.tif 000002
【特許請求の範囲】
【請求項１】
携帯式カード処理端末機の充電を行う充電部を備えた装置本体と、
前記装置本体の上面に設けられ、前記携帯式カード処理端末機が装着される装着部と、
前記装置本体の上面において、前記装着部の周りの所定箇所に設けられ、前記装着部に装着された前記携帯式カード処理端末機を保持する保持部と、
前記装置本体の上面において、前記装着部に装着された前記携帯式カード処理端末機のカードスロット部に対応する位置に設けられ、前記カードスロット部にカードを差し込むときの差込み方向に沿って延びるガイド部と、
を備えたことを特徴とする携帯式カード処理端末機用の充電装置。
【請求項２】
前記ガイド部は、前記装着部に装着された前記携帯式カード処理端末機の前記カードスロット部に対応する高さに、前記カードスロット部のスロット面と平行なガイド面を備えたことを特徴とする請求項１に記載の携帯式カード処理端末機用の充電装置。
【請求項３】
前記ガイド部は、前記カードスロット部の入口および出口に対応する位置に、前記入口および出口に対応する凹形状の助走スロット部を備えたことを特徴とする請求項１に記載の携帯式カード処理端末機用の充電装置。
【請求項４】
前記ガイド部は、前記保持部に設けられたことを特徴とする請求項１ないし請求項３のいずれかに記載の携帯式カード処理端末機用の充電装置。
【請求項５】
前記装着部は、前記携帯式カード処理端末機の表示部および操作部を上側にした状態で、前記携帯式カード処理端末機を装着可能であることを特徴とする請求項１ないし請求項４のいずれかに記載の携帯式カード処理端末機用の充電装置。
【発明の詳細な説明】
【技術分野】
【０００１】
本発明は、充電時の携帯式カード処理端末機にカードを差し込むときの操作性を向上した携帯式カード処理端末機用の充電装置に関するものである。
【背景技術】
【０００２】
従来、携帯式カード処理端末機の充電装置として、充電用のＡＣアダプタが使用される。充電用のＡＣアダプタを用いて携帯式カード処理端末機の充電を行うときには、携帯式カード処理端末機の端末本体のカバーを開き、端末本体のコネクタにＡＣアダプタのジャックを差し込む。そして、ＡＣアダプタを電源コンセントに差し込んで、携帯式カード処理端末機の充電を行う。
【０００３】
ところで、従来、携帯電話機を充電するための充電装置として、充電機能を有する充電装置本体に携帯電話機を装着するクレードル型の充電装置が知られている（例えば特許文献１および特許文献２参照）。このようなクレードル型の充電装置では、充電装置本体に携帯電話機を装着して、携帯電話機の充電を行う。
【特許文献１】特開２００４−３２４８０号公報（第５−７頁、第１図）
【特許文献２】特開２００３−２１９００１号公報（第３−６頁、第３−７図）
【発明の開示】
【発明が解決しようとする課題】
【０００４】
従来の携帯式カード処理端末機用の充電装置では、携帯式カード処理端末機のコネクタにＡＣアダプタのジャックを抜き差しする必要があり、携帯式カード処理端末機を充電するときの作業が煩わしいという問題があった。このようなＡＣアダプタに比べて充電するときの作業が簡単な充電装置として、クレードル型の充電装置がある。しかし、従来、携帯電話機用のクレードル型の充電装置は知られているものの、携帯式カード処理端末機用のクレードル型の充電装置は知られていない。
【０００５】
本発明は、上記従来の問題を解決するためになされたもので、携帯式カード処理端末機を充電するときの作業性を向上するとともに、充電時の携帯式カード処理端末機にカードを差し込むときの操作性を向上した携帯式カード処理端末機用の充電装置を提供することを目的とする。
【課題を解決するための手段】
【０００６】
本発明の携帯式カード処理端末機用の充電装置は、携帯式カード処理端末機の充電を行う充電部を備えた装置本体と、前記装置本体の上面に設けられ、前記携帯式カード処理端末機が装着される装着部と、前記装置本体の上面において、前記装着部の周りの所定箇所に設けられ、前記装着部に装着された前記携帯式カード処理端末機を保持する保持部と、前記装置本体の上面において、前記装着部に装着された前記携帯式カード処理端末機のカードスロット部に対応する位置に設けられ、前記カードスロット部にカードを差し込むときの差込み方向に沿って延びるガイド部と、を備えた構成を有している。
【０００７】
この構成により、携帯式カード処理端末機の充電を行うときには、充電装置の装着部に携帯式カード処理端末機を装着する。これにより、充電装置の充電部によって携帯式カード処理端末機の充電が行われ、従来のＡＣアダプタに比べて充電するときの作業性が向上する。また、携帯式カード処理端末機を装着部に装着した状態で、カードスロット部にカードを差し込む操作を行うときには、ガイド部に沿ってカードを差し込む。これにより、ガイド部によってカードが差込み方向にガイドされ、カードスロット部にカードを容易に差し込むことができる。カードを滑走させる距離がガイド部によって延長されているので、充電時の携帯式カード処理端末機でカードを読み取ったときのカードの読み取り成功率が向上する。また、携帯式カード処理端末機は、装着部に装着された状態で保持部によって保持されており安定性が高い。したがって、充電時の携帯式カード処理端末機にカードを差し込むときの操作性が向上する。
【０００８】
また、本発明の携帯式カード処理端末機用の充電装置では、前記ガイド部は、前記装着部に装着された前記携帯式カード処理端末機の前記カードスロット部に対応する高さに、前記カードスロット部のスロット面と平行なガイド面を備えた構成を有している。
【０００９】
この構成により、携帯式カード処理端末機を装着部に装着した状態でカードスロット部にカードを差し込む操作を行うときには、充電装置のガイド面にカードを突き当てて差込み方向に沿って滑走させる。これにより、充電時の携帯式カード処理端末機のカードスロット部にカードを容易に差し込むことができ、カードを差し込むときの操作性が向上する。
【００１０】
また、本発明の携帯式カード処理端末機用の充電装置では、前記ガイド部は、前記カードスロット部の入口および出口に対応する位置に、前記入口および出口に対応する凹形状の助走スロット部を備えた構成を有している。
【００１１】
この構成により、携帯式カード処理端末機を装着部に装着した状態でカードスロット部にカードを差し込む操作を行うときには、充電装置の助走スロット部からカードを差し込む。これにより、カードを滑走させる距離が助走スロット部によって延長され、充電時の携帯式カード処理端末機でカードを読み取ったときのカードの読み取り成功率が向上する。
【００１２】
また、本発明の携帯式カード処理端末機用の充電装置では、前記ガイド部は、前記保持部に設けられた構成を有している。
【００１３】
この構成により、ガイド部と保持部を兼用することができ、充電時の携帯式カード処理端末機にカードを差し込むときの操作性が向上するとともに、充電時の携帯式カード処理端末機でカードを読み取ったときのカードの読み取り成功率が向上する。
【００１４】
また、本発明の携帯式カード処理端末機用の充電装置では、前記装着部は、前記携帯式カード処理端末機の表示部および操作部を上側にした状態で、前記携帯式カード処理端末機を装着可能である構成を有している。
【００１５】
この構成により、携帯式カード処理端末機を充電装置の装着部に装着したときに、携帯式カード処理端末機の表示部を見ながら操作部の操作を行うことができる。これにより、充電時の携帯式カード処理端末機の操作性が向上する。したがって、携帯式カード処理端末機を据置式カード処理端末機のように使用することができる。
【発明の効果】
【００１６】
本発明は、充電部を備えた充電装置の装置本体に保持部とガイド部を設けることにより、携帯式カード処理端末機を充電するときの作業性が向上するとともに、充電時の携帯式カード処理端末機にカードを差し込むときの操作性が向上するという効果を有する携帯式カード処理端末機用の充電装置を提供することができるものである。
【発明を実施するための最良の形態】
【００１７】
以下、本発明の実施の形態の携帯式カード処理端末機用の充電装置について、図面を用いて説明する。本実施の形態では、モバイル決済端末などの携帯式カード処理端末機を充電する充電装置の場合を例示する。
【００１８】
（第１の実施の形態）
本発明の第１の実施の形態の携帯式カード処理端末機用の充電装置を図１〜図３に示す。図１は、本実施の形態の携帯式カード処理端末機１００と充電装置１０１の斜視図である。図２は、携帯式カード処理端末機用の充電装置１０１に携帯式カード処理端末機１００を装着した状態の斜視図である。図３は、携帯式カード処理端末機用の充電装置１０１に携帯式カード処理端末機１００を装着した状態の側面図である。
【００１９】
ここでは、まず、携帯式カード処理端末機１００について説明する。図１および図２に示すように、携帯式カード処理端末機１００の端末本体１０２の上面には、液晶画面などの表示部１０３と、入力ボタンなどの操作部１０４が設けられている。図１および図２に示した例では、表示部１０３が端末本体１０２の上半部に設けられており、操作部１０４が端末本体１０２の下半部に設けられている。
【００２０】
携帯式カード処理端末機１００は、処理対象である磁気カード１０５（以下、カード１０５という）の読取り処理や書込み処理を行うカード処理機能を備えており、端末本体１０２の下部には、カード１０５を差し込むためのカードスロット部１０６が設けられている。本実施の形態では、カード１０５の差込み方向が端末本体１０２に対して左右方向に設定されており、左右方向に延びるカードスロット部１０６が端末本体１０２の手前側の側面に設けられている。
【００２１】
つぎに、携帯式カード処理端末機用の充電装置１０１（以下、充電装置１０１という）について説明する。図１〜図３に示すように、充電装置１０１の装置本体１０７の上面には、携帯式カード処理端末機１００を装着するための装着部１０８が設けられている。本実施の形態では、携帯式カード処理端末機１００の表示部１０３および操作部１０４が上側を向くように、携帯式カード処理端末機１００が充電装置１０１の装着部１０８に装着される。
【００２２】
また、充電装置１０１の装置本体１０７の上面には、携帯式カード処理端末機１００の充電を行う一対の充電端子１０９が設けられている。携帯式カード処理端末機１００の充電は、携帯式カード処理端末機１００の端末本体１０２を充電装置１０１の装着部１０８に装着することによって行われる。この充電端子１０９が、本発明の充電部に相当する。ここでは、充電部の例として、装置本体１０７の上面に設けられた接触式の充電端子１０９を例示したが、装置本体１０７の内部に備えられた非接触式の充電部であってもよい。
【００２３】
充電装置１０１の装置本体１０７の上面には、左右一対の保持壁部１１０が立設されている。本実施の形態では、装置本体１０７の上面は略四角形状をしており、その左辺と右辺に一対の保持壁部が設けられている。左右一対の保持壁部１１０の間隔は、携帯式カード処理端末機１００の端末本体１０２の幅（左右方向の長さ）とほぼ同じに設定されている。したがって、携帯式カード処理端末機１００の端末本体１０２を充電装置１０１の装着部１０８に装着した状態で、端末本体１０２は左右一対の保持壁部１１０に挟みこまれて保持される。この左右一対の保持壁部１１０は、本発明の保持部に相当する。
【００２４】
また、充電装置１０１の装置本体１０７の上面には、Ｕ字状の保持壁部１１１が立設されている。本実施の形態では、装置本体１０７の上面の下辺から左辺および右辺にかけてＵ字状の保持壁部１１１が設けられている。このＵ字状の保持壁部１１１の左右の保持壁部の間隔は、携帯式カード処理端末機１００の端末本体１０２の幅（左右方向の長さ）とほぼ同じに設定されている。したがって、携帯式カード処理端末機１００の端末本体１０２を充電装置１０１の装着部１０８に装着した状態で、端末本体１０２はＵ字状の保持壁部１１１の左辺の保持壁部と右辺の保持壁部に挟みこまれて保持されるとともに、Ｕ字状の保持壁部１１１の下辺の保持壁部によって受け止められて保持される。このＵ字状の保持壁部１１１も、本発明の保持部に相当する。
【００２５】
Ｕ字状の保持壁部１１１には、装着部１０８に装着された携帯式カード処理端末機１００のカードスロット部１０６に対応する高さ位置に、カード１０５の差込み方向である左右方向に沿って延びるガイド面１１２が形成されている。このガイド面１１２は、カードスロット部１０６のスロット面と平行に設けられている。つまり、ガイド面１１２にカード面を突き当てたときに、カード面とスロット面が同じ高さになるように構成されている。Ｕ字状の保持壁部１１１のガイド面１１２とカードスロット部１０６のスロット面が連続しているともいえる。ここでは、Ｕ字状の保持壁部１１１のガイド面１１２が、本発明のガイド部に相当する。この場合、Ｕ字状の保持壁部１１１は、カードスロット部１０６にカード１０５を差し込むときのガイドとなるガイド部を兼ねているともいえる。
【００２６】
以上のように構成された携帯式カード処理端末機用の充電装置１０１について、図面を用いてその動作を説明する。
【００２７】
本発明の第１の実施の形態の携帯式カード処理端末機１００の充電を行うときには、携帯式カード処理端末機１００を充電装置１０１の装着部１０８に装着する。そうすると、充電装置１０１の充電端子１０９が携帯式カード処理端末機１００の充電端子（図示せず）に接触して、携帯式カード処理端末機１００の充電が行われる。このように、携帯式カード処理端末機１００の充電を簡単に行うことができる。
【００２８】
次に、携帯式カード処理端末機１００を充電装置１０１に装着して充電している状態で、携帯式カード処理端末機１００を使用するときの動作について説明する。充電中の状態の携帯式カード処理端末機１００を用いてカード１０５の読取り処理または書込み処理を行うときには、Ｕ字状の保持壁部１１１のガイド面１１２にカード１０５を突き当てて差込み方向に沿ってスライドさせる。このとき、ガイド面１１２に突き当てたカード面とカードスロット部１０６のスロット面が同じ高さ位置になるように構成されているので、カード１０５をガイド面１１２に突き当てるだけで、カード１０５がカードスロット部１０６へガイドされる。つまり、カードスロット部１０６の高さ位置を確認することなく、カード１０５をカードスロット部１０６へ差し込むことができる。このように、カードスロット部１０６へのカード１０５の差込み操作を簡単に行うことができる。
【００２９】
また、充電中の状態の携帯式カード処理端末機１００は、左右一対の保持壁部１１０およびＵ字状の保持壁部１１１によって安定に保持されているので、カードスロット部１０６へカード１０５を差し込む操作がしやすい。また、携帯式カード処理端末機１００が充電装置１０１の装着部１０８に装着したときに、携帯式カード処理端末機１００の表示部１０３および操作部１０４が上側を向いているので、操作部１０４からデータを入力する作業や入力したデータを表示部１０３で確認する作業がしやすい。
【００３０】
このような発明の第１の実施の形態の携帯式カード処理端末機用の充電装置１０１によれば、充電端子１０９を備えた充電装置１０１の装置本体１０７に左右一対の保持壁部１１０とガイド面１１２を有するＵ字状の保持壁部１１１を設けることにより、携帯式カード処理端末機１００を充電するときの作業性が向上するとともに、充電時の携帯式カード処理端末機１００にカード１０５を差し込むときの操作性が向上する。
【００３１】
すなわち、本実施の形態では、携帯式カード処理端末機１００の充電を行うときには、充電装置１０１の装着部１０８に携帯式カード処理端末機１００を装着する。これにより、充電装置１０１の充電端子１０９から携帯式カード処理端末機１００の充電が行われ、従来のＡＣアダプタに比べて充電するときの作業性が向上する。
【００３２】
また、携帯式カード処理端末機１００を装着部１０８に装着した状態で、カードスロット部１０６にカード１０５を差し込む操作を行うときには、Ｕ字状の保持壁部１１１のガイド面１１２に沿ってカード１０５を差し込む。これにより、Ｕ字状の保持壁部１１１のガイド面１１２によってカード１０５が差込み方向（左右方向）にガイドされ、カードスロット部１０６にカード１０５を容易に差し込むことができる。このとき、カード１０５を滑走させる距離がガイド部によって延長されているので、充電時の携帯式カード処理端末機１００でカード１０５を読み取ったときのカード１０５の読み取り成功率が向上する。また、携帯式カード処理端末機１００は、装着部１０８に装着された状態で左右一対の保持壁部１１０およびＵ字状の保持壁部１１１によって保持されており安定性が高い。したがって、充電時の携帯式カード処理端末機１００にカード１０５を差し込むときの操作性が向上する。
【００３３】
また、本実施の形態では、携帯式カード処理端末機１００を装着部１０８に装着した状態でカードスロット部１０６にカード１０５を差し込む操作を行うときに、Ｕ字状の保持壁部１１１のガイド面１１２にカード１０５を突き当てて差込み方向に沿って滑走させる。これにより、充電時の携帯式カード処理端末機１００のカードスロット部１０６にカード１０５を容易に差し込むことができ、カード１０５を差し込むときの操作性が向上する。特に、本実施の形態では、携帯式カード処理端末機１００の手前側の側面にカードスロット部１０６が設けられているので、上側からではカードスロット部１０６の位置がわかりにくいが、上記のようにガイド面１１２を利用してカード１０５の差込みを行うことができるので、カードスロット部１０６にカード１０５を容易に差し込むことができる。
【００３４】
また、本実施の形態では、Ｕ字状の保持壁部１１１がガイド部と保持部を兼用することができる。これにより、充電時の携帯式カード処理端末機１００にカード１０５を差し込むときの操作性が向上するとともに、充電時の携帯式カード処理端末機１００でカード１０５を読み取ったときのカード１０５の読み取り成功率が向上する。
【００３５】
また、本実施の形態では、携帯式カード処理端末機１００を充電装置１０１の装着部１０８に装着したときに、携帯式カード処理端末機１００の表示部１０３を見ながら操作部１０４の操作を行うことができる。これにより、充電時の携帯式カード処理端末機１００の操作性が向上する。したがって、携帯式カード処理端末機１００を、店舗や事務所のカウンターなどに設置された据置式カード処理端末機１００のように使用することができる。
【００３６】
また、近年、携帯式カード処理端末機は、外出先（訪問した家の玄関先など）で操作を行うことが多いため、持ち運び易さ（可搬性）を向上するために小型化が進んでいる。ところが、カードの差込み方向が端末本体に対して上下方向に設定されている携帯式カード処理装置では、上下方向に延びるカードスロット部が端末本体の右側や左側に設けられることになり、カードスロット部の分だけ端末本体のサイズが左右方向に大きくなる。したがって、ユーザが片手で端末本体を保持するのが困難になり、持ち運びし難くなるという問題があった。これに対して、本実施の形態のように、カード１０５の差込み方向が端末本体１０２に対して左右方向に設定されている携帯式カード処理装置では、左右方向に延びるカードスロット部１０６が端末本体１０２の手前側などに設けられることになる。この場合、カードスロット部１０６の分だけ端末本体１０２のサイズが上下方向に大きくなるものの、端末本体１０２のサイズが左右方向に大きくならないので、ユーザが片手で端末本体１０２を保持することができ、持ち運びし易くなる。
【００３７】
また、携帯式カード処理端末機が小型化されると、カードスロット部の長さ（カードを滑走させる距離）も短くなり、カードの読み取り成功率が低下するという問題があった。これに対して、本実施の形態では、カード１０５を滑走させる距離がガイド部によって延長されるので、カード１０５の読み取り成功率が向上する。
【００３８】
（第２の実施の形態）
次に、本発明の第２の実施の形態の携帯式カード処理端末機用の充電装置を図４〜図６に示す。図４は、本実施の形態の携帯式カード処理端末機２００と充電装置２０１の斜視図である。図５は、携帯式カード処理端末機用の充電装置２０１に携帯式カード処理端末機２００を装着した状態の斜視図である。図６は、携帯式カード処理端末機用の充電装置２０１に携帯式カード処理端末機２００を装着した状態の側面図である。
【００３９】
まず、本実施の形態の携帯式カード処理端末機２００について説明する。本実施の形態では、端末本体２０２の上面にカードスロット部２０６が設けられている点で、第１の実施の形態と相違する。すなわち、図４〜図６に示すように、本実施の形態の携帯式カード処理端末機２００では、左右方向に延びるカードスロット部２０６が、端末本体２０２の上面の表示部２０３の上部に設けられている。
【００４０】
つぎに、本実施の形態の携帯式カード処理端末機用の充電装置２０１について説明する。本実施の形態では、ガイド部の設けられる箇所が第１の実施の形態と相違するが、ここで特に言及しない限り、他の構成については第１の実施の形態と同様である。
【００４１】
図４〜図６に示すように、充電装置２０１の装置本体２０７の上面には、左右一対の保持壁部２１０が立設されている。本実施の形態では、この左右一対の保持壁部２１０は、携帯式カード処理端末機２００の端末本体２０２を充電装置２０１の装着部２０８に装着したときに、カードスロット部２０６の入口と出口に対応する部分に立設されている。
【００４２】
そして、本実施の形態では、左右一対の保持壁部２１０に凹形状の助走スロット部２１２が形成されており、Ｕ字状の保持壁部２１１にガイド面は形成されていない。携帯式カード処理端末機２００の端末本体２０２を充電装置２０１の装着部２０８に装着した状態で、助走スロット部２１２は、カードスロット部２０６の入口と出口に対応する位置に設けられている。つまり、助走スロット部２１２とカードスロット部２０６が連続しているともいえる。この場合、左右一対の保持壁部２１０が、カードスロット部２０６にカード２０５を差し込むときのガイドとなるガイド部を兼ねているともいえる。
【００４３】
以上のように構成された携帯式カード処理端末機用の充電装置２０１について、図面を用いてその動作を説明する。
【００４４】
本発明の第２の実施の形態の携帯式カード処理端末機２００の充電を行うときには、第１の実施の形態と同様、携帯式カード処理端末機２００を充電装置２０１の装着部２０８に装着し、充電装置２０１の充電端子２０９と携帯式カード処理端末機２００の充電端子（図示せず）を接触させて、携帯式カード処理端末機２００の充電を行う。
【００４５】
次に、携帯式カード処理端末機２００を充電装置２０１に装着して充電している状態で、携帯式カード処理端末機２００を使用するときの動作について説明する。充電中の状態の携帯式カード処理端末機２００を用いてカード２０５の読取り処理または書込み処理を行うときには、左右一対の保持壁部２１０の助走スロット部２１２にカード２０５を差し込んで、カード２０５の差込み方向に沿ってスライドさせる。このとき、助走スロット部２１２がカードスロット部２０６の入口と出口に対応する位置に設けられているので、カード２０５を助走スロット部２１２に差し込んでスライドすると、カード２０５がカードスロット部２０６へガイドされる。このように、カードスロット部２０６へのカード２０５の差込み操作を簡単に行うことができる。
【００４６】
第１の実施の形態と同様、充電中の状態の携帯式カード処理端末機２００は、左右一対の保持壁部２１０およびＵ字状の保持壁部２１１によって安定に保持されているので、カードスロット部２０６へカード２０５を差し込む操作がしやすい。また、携帯式カード処理端末機２００が充電装置２０１の装着部２０８に装着したときに、携帯式カード処理端末機２００の表示部２０３および操作部２０４が上側を向いているので、操作部２０４からデータを入力する作業や入力したデータを表示部２０３で確認する作業がしやすい。
【００４７】
このような発明の第２の実施の形態の携帯式カード処理端末機用の充電装置２０１によっても、第１の実施の形態と同様の作用効果を奏することができる。
【００４８】
本実施の形態では、携帯式カード処理端末機２００を装着部２０８に装着した状態でカードスロット部２０６にカード２０５を差し込む操作を行うときには、充電装置２０１の助走スロット部２１２からカード２０５を差し込むことができる。これにより、カード２０５を滑走させる距離が助走スロット部２１２によって延長され、充電時の携帯式カード処理端末機２００でカード２０５を読み取ったときのカード２０５の読み取り成功率が向上する。
【００４９】
（第３の実施の形態）
次に、本発明の第３の実施の形態の携帯式カード処理端末機用の充電装置を図７〜図９に示す。図７は、本実施の形態の携帯式カード処理端末機３００と充電装置３０１の斜視図である。図８は、携帯式カード処理端末機用の充電装置３０１に携帯式カード処理端末機３００を装着した状態の斜視図である。図９は、携帯式カード処理端末機用の充電装置３０１に携帯式カード処理端末機３００を装着した状態の側面図である。
【００５０】
本実施の形態の携帯式カード処理端末機３００は、第２の実施の形態と同様の構成である。ここでは、本実施の形態の携帯式カード処理端末機用の充電装置３０１について、第２の実施の形態と相違する点を中心に説明する。したがって、ここで特に言及しない限り、本実施の形態の充電装置３０１の構成は、第２の実施の形態と同様である。
【００５１】
図７〜図９に示すように、充電装置３０１の装置本体３０７の上面には、左右一対の保持壁部３１０が立設されている。この左右一対の保持壁部３１０は、第２の実施の形態と同様、携帯式カード処理端末機３００の端末本体３０２を充電装置３０１の装着部３０８に装着したときに、カードスロット部３０６の入口と出口に対応する部分に立設されている。
【００５２】
そして、本実施の形態では、左右一対の保持壁部３１０にガイド面３１２が形成されており、助走スロット部は形成されていない。携帯式カード処理端末機３００の端末本体３０２を充電装置３０１の装着部３０８に装着した状態で、左右一対の保持壁部３１０のガイド面３１２は、カードスロット部３０６の入口と出口に対応する位置に設けられている。このガイド面３１２は、カードスロット部３０６のスロット面と平行に設けられており、左右一対の保持壁部３１０のガイド面３１２とカードスロット部３０６のスロット面が連続しているともいえる。ここでは、左右一対の保持壁部３１０のガイド面３１２が、本発明のガイド部に相当する。この場合、左右一対の保持壁部３１０が、カードスロット部３０６にカード３０５を差し込むときのガイドとなるガイド部を兼ねているともいえる。
【００５３】
以上のように構成された携帯式カード処理端末機用の充電装置３０１について、図面を用いてその動作を説明する。
【００５４】
本発明の第３の実施の形態の携帯式カード処理端末機３００の充電を行うときには、第２の実施の形態と同様、携帯式カード処理端末機３００を充電装置３０１の装着部３０８に装着し、充電装置３０１の充電端子３０９と携帯式カード処理端末機３００の充電端子（図示せず）を接触させて、携帯式カード処理端末機３００の充電を行う。
【００５５】
次に、携帯式カード処理端末機３００を充電装置３０１に装着して充電している状態で、携帯式カード処理端末機３００を使用するときの動作について説明する。充電中の状態の携帯式カード処理端末機３００を用いてカード３０５の読取り処理または書込み処理を行うときには、左右一対の保持壁部３１０のガイド面３１２にカード３０５を突き当てて差込み方向に沿ってスライドさせる。このとき、左右一対の保持壁部３１０のガイド面３１２とカードスロット部３０６のスロット面が連続するように構成されているので、カード３０５をガイド面３１２に突き当てるだけで、カード３０５がカードスロット部３０６へガイドされる。つまり、カードスロット部３０６の前後位置を確認することなく、カード３０５をカードスロット部３０６へ差し込むことができる。このように、カードスロット部３０６へのカード３０５の差込み操作を簡単に行うことができる。
【００５６】
第２の実施の形態と同様、充電中の状態の携帯式カード処理端末機３００は、左右一対の保持壁部３１０およびＵ字状の保持壁部３１１によって安定に保持されているので、カードスロット部３０６へカード３０５を差し込む操作がしやすい。また、携帯式カード処理端末機３００が充電装置３０１の装着部３０８に装着したときに、携帯式カード処理端末機３００の表示部３０３および操作部３０４が上側を向いているので、操作部３０４からデータを入力する作業や入力したデータを表示部３０３で確認する作業がしやすい。
【００５７】
このような発明の第３の実施の形態の携帯式カード処理端末機用の充電装置３０１によっても、第１および第２の実施の形態と同様の作用効果を奏することができる。
【００５８】
以上、本発明の実施の形態を例示により説明したが、本発明の範囲はこれらに限定されるものではなく、請求項に記載された範囲内において目的に応じて変更・変形することが可能である。
【産業上の利用可能性】
【００５９】
以上のように、本発明にかかる携帯式カード処理端末機用の充電装置は、携帯式カード処理端末機を充電するときの作業性が向上するとともに、充電時の携帯式カード処理端末機にカードを差し込むときの操作性が向上するという効果を有し、モバイル決済端末などの携帯式カード処理端末機を充電する充電装置等として有用である。
【図面の簡単な説明】
【００６０】
【図１】本発明の第１の実施の形態における携帯式カード処理端末機と充電装置の斜視図
【図２】本発明の第１の実施の形態における携帯式カード処理端末機用の充電装置に携帯式カード処理端末機を装着した状態の斜視図
【図３】本発明の第１の実施の形態における携帯式カード処理端末機用の充電装置に携帯式カード処理端末機を装着した状態の側面図
【図４】本発明の第２の実施の形態における携帯式カード処理端末機と充電装置の斜視図
【図５】本発明の第２の実施の形態における携帯式カード処理端末機用の充電装置に携帯式カード処理端末機を装着した状態の斜視図
【図６】本発明の第２の実施の形態における携帯式カード処理端末機用の充電装置に携帯式カード処理端末機を装着した状態の側面図
【図７】本発明の第３の実施の形態における携帯式カード処理端末機と充電装置の斜視図
【図８】本発明の第３の実施の形態における携帯式カード処理端末機用の充電装置に携帯式カード処理端末機を装着した状態の斜視図
【図９】本発明の第３の実施の形態における携帯式カード処理端末機用の充電装置に携帯式カード処理端末機を装着した状態の側面図
【符号の説明】
【００６１】
１００  携帯式カード処理端末機
１０１  充電装置
１０３  表示部
１０４  操作部
１０５  カード
１０６  カードスロット部
１０７  装置本体
１０８  装着部
１０９  充電端子
１１０  左右一対の保持壁部
１１１  Ｕ字状の保持壁部
１１２  ガイド面
２１２  助走スロット部
【図１】
2008061367.tif 000003
【図２】
2008061367.tif 000004
【図３】
2008061367.tif 000005
【図４】
2008061367.tif 000006
【図５】
2008061367.tif 000007
【図６】
2008061367.tif 000008
【図７】
2008061367.tif 000009
【図８】
2008061367.tif 000010
【図９】
2008061367.tif 000011